(57)【要約】  本発明は、喫煙物品を含む容器（１）に関する。容器は、更に、底壁、側壁、及び開口部を含む喫煙物品（１７）のためのカップ形状箱（２）を含む。容器は、更に、容器の底壁の喫煙物品（１７）を持ち上げるために少なくとも１つの喫煙物品（１７）と相互に関連付けられた持ち上げ要素（２０）を含む。持ち上げ要素（２０）は、喫煙物品（１７）の外側上端部分に係合可能な係合部分（２２）を有する。【選択図】図１
2013500212.tif 000002
【特許請求の範囲】
【請求項１】
容器（１）であって、
喫煙物品を含み、
底壁と、側壁と、開口部とを含む前記喫煙物品（１７）のためのカップ形状箱（２）を更に含み、
前記容器の前記底壁の前記喫煙物品（１７）を持ち上げるために少なくとも１つの喫煙物品（１７）と相互に関連付けられた持ち上げ要素を更に含み、
前記持ち上げ要素（２０）は、前記喫煙物品（１７）の外側上端部分に係合可能な係合部分（２２）を有する、
ことを特徴とする容器。
【請求項２】
前記喫煙物品（１７）は、その周方向外側側面上に前記持ち上げ要素（２０）によって係合されるようになったリング状肩部（２４）を含むことを特徴とする請求項１に記載の容器。
【請求項３】
前記喫煙物品（１７）の前記肩部は、特にシガレットフィルタである該喫煙物品（１７）の周方向に包まれた先端紙（２３）の縁部（２４）によって形成されることを特徴とする請求項２に記載の容器。
【請求項４】
前記持ち上げ要素（２０）は、前記カップ形状箱（２）の前記開口部から前記先端紙（２３）の前記縁部（２４）の下まで延びることを特徴とする請求項３に記載の容器。
【請求項５】
前記持ち上げ要素（２０）は、前記喫煙物品（１７）と摩擦係合することを特徴とする請求項１から請求項４のいずれか１項に記載の容器。
【請求項６】
前記持ち上げ要素（２０）は、前記係合部分として突起（２２）を含むことを特徴とする請求項１から請求項５のいずれか１項に記載の容器。
【請求項７】
前記突起は、前記持ち上げ要素（２０）の折り目（２６）に沿って折り畳まれた該持ち上げ要素（２０）のフラップ（２２）によって形成されることを特徴とする請求項６に記載の容器。
【請求項８】
前記フラップ（２２）は、前記喫煙物品（１７）に向う方向、特に、該喫煙物品（１７）に向う上向き方向に延びることを特徴とする請求項７に記載の容器。
【請求項９】
前記喫煙物品（１７）を取り囲む内側ライナ（１８）を含み、
前記内側ライナ（１８）は、取り外されるようになったプルホイル（１９）を含み、
前記持ち上げ要素（２０）は、該持ち上げ要素（２０）が前記喫煙物品（１７）と接触可能であるように前記プルホイル（１９）の内側側面に取り付けられる、
ことを特徴とする請求項１から請求項８のいずれか１項に記載の容器。
【請求項１０】
前記喫煙物品（１７）を取り囲む内側ライナ（１８）を含み、
前記内側ライナ（１８）は、前記喫煙物品（１７）にアクセスすることができて前記持ち上げ要素（２０）が該喫煙物品（１７）と接触可能であるように取り外されるようになったプルホイル（１９）を含む、
ことを特徴とする請求項１から請求項８のいずれか１項に記載の容器。
【請求項１１】
前記持ち上げ要素（２０）は、前記プルホイル（１９）の外側側面に取り付けられることを特徴とする請求項１０に記載の容器。
【請求項１２】
前記プルホイル（１９）は、該プルホイル（１９）に対する所定の最大引張力を超えた時に前記持ち上げ要素（２０）から分離されることを特徴とする請求項１０又は請求項１１に記載の容器。
【請求項１３】
前記持ち上げ要素（２０）は、該持ち上げ要素（２０）が所定の持ち上げ高さに対して持ち上げられる時に該持ち上げ要素（２０）のための停止部を提供するために前記カップ形状箱（２）と係合するようになった第２のフラップ（２９）を含むことを特徴とする請求項１から請求項１２のいずれか１項に記載の容器。
【請求項１４】
前記持ち上げ要素（２０）は、該持ち上げ要素の異なる高さに設けられたいくつかのフラップ（２２）を含むことを特徴とする請求項１から請求項１３のいずれか１項に記載の容器。
【請求項１５】
前記持ち上げ要素（２０）は、カップ形状箱（２）の１つの箱壁（５）と少なくとも部分的に平行に延び、該持ち上げ要素（２０）は、該１つの箱壁（５）の少なくとも１つの隣接する箱壁によって案内され、特に、該持ち上げ要素（２０）は、該カップ形状箱（２）の内部と実質的に同じ幅を有することを特徴とする請求項１から請求項１４のいずれか１項に記載の容器。
【発明の詳細な説明】
【技術分野】
【０００１】
本発明は、喫煙物品を含み、かつ喫煙物品を持ち上げるために少なくとも１つの喫煙物品と相互に関連付けられた持ち上げ要素を更に含む容器に関する。
【背景技術】
【０００２】
喫煙物品は、一般的に、ブランク材から形成されたヒンジ式蓋容器に入れて提供される。容器内の喫煙物品にアクセスするために、消費者は、典型的には、透明な外側包装紙を取り外し、蓋を開けて喫煙物品の上端を覆う内側ライナの区画を取り外す。典型的に、喫煙物品の上端は、喫煙物品の唇側端部である。これは、特に、喫煙物品がフィルタを含む場合に一般的である。そのような喫煙物品を容器から取り外す時に、消費者は、喫煙物品の唇側端部に触れる。
【０００３】
一部の消費者は、特に喫煙物品の唇側端部が埋め込みフィルタを含む場合に、フィルタの唇側端部への接触を避けることを好む。埋め込みフィルタを有する喫煙物品は、例えば、欧州特許ＥＰ  １２９９０１２に開示されている。
【０００４】
ＵＳ特許ＵＳ−Ａ−４，９４９，８４１は、収容されたシガレットを簡単に抜き取るためのヒンジ式蓋パックを開示している。パック内のシガレットは、パックの底壁及び後壁の一部に取り付けられた、例えば接着された内側ライナに包まれる。内側ライナの前壁の把持タブが引っ張られると、シガレットの第１の列が持ち上げられるように内側ライナの底壁の一部が上げられる。
【０００５】
しかし、このパックの内側ライナは、喫煙物品のための従来技術の容器と比較して内側ライナブランク材の大幅な修正を必要とし、かつ包装機械に対する大規模な修正を必要とする。更に、内側ライナの持ち上げ部及び持ち上げ可能な前壁は、持ち上げ過程の間に喫煙物品のロッド端部に対して圧力を及ぼし、それがロッド端部を傷める場合がある。
【先行技術文献】
【特許文献】
【０００６】
【特許文献１】ＥＰ  １２９９０１２
【特許文献２】ＵＳ−Ａ−４，９４９，８４１
【特許文献３】ＵＳ−Ａ−４，７１４，０８２
【特許文献４】ＵＳ−Ａ−５，６９２，５２５
【発明の概要】
【発明が解決しようとする課題】
【０００７】
従って、喫煙物品の簡単な取り出しを容易にする一方で高品質でかつコスト効率良く製造されることを可能にする容器を提供することが本発明の目的である。
【課題を解決するための手段】
【０００８】
本発明の目的は、喫煙物品と喫煙物品のためのカップ形状箱とを含む容器を提供することによって解決され、カップ形状箱は、底壁、側壁、及び開口部を含み、容器は、喫煙物品を容器の底壁から持ち上げるために少なくとも１つの喫煙物品と相互に関連付けられた持ち上げ要素を更に含み、持ち上げ要素は、係合部分を含み、係合部分は、喫煙物品の外側上端部分と係合可能である。
【０００９】
持ち上げ要素と喫煙物品の間の係合は、喫煙物品の外側上端部分の位置で起こるので、喫煙物品のロッド端部部分は、係合せず、従って、持ち上げ移動中に損傷する可能性がない。更に、持ち上げ要素は、喫煙物品の上端が容器内の他の喫煙物品の上に突出するように喫煙物品を容器の底壁から十分離れるように移動することができるので、消費者は、喫煙物品の唇側端部に触れる必要がない。これは、消費者が持ち上げられた喫煙物品の突出した上端をその側面に沿って容易に把持することを可能にする。
【００１０】
更に、本発明による持ち上げ要素の構成は、持ち上げ要素を容器の生産工程中に公知の生産段階において容易に含めることができるので、本発明による容器の生産を容易にする。すなわち、本発明による持ち上げ要素は、公知の容器生産工程に関して僅かな修正だけしか必要とせず、従って、公知の生産ラインで廉価な修正として実施することができる。
【００１１】
持ち上げ要素の喫煙物品の外側上端部分との係合は、更に、持ち上げ要素の小型化と単純な幾何学形状を可能にする。そのような持ち上げ要素は、その製造自体において廉価である。
【００１２】
本明細書で使用される時に、用語「前部」、「背部」、「上側」、「下側」、「側部」、「上部」、「底部」、及び本発明による容器の要素の相対位置を説明するのに使用される他の用語は、上端に蓋がある直立位置の容器を基準とする。容器がヒンジ式蓋を含む場合、蓋は、容器の背部にヒンジ止めすることができる。用語「左」及び「右」は、直立位置でその前部から容器を見た時に容器の側壁に関連して使用される。直立した位置の容器が開いている時に、箱に収容された喫煙物品は、容器の上端から取り外すことができる。
【００１３】
喫煙物品の下端部分は、容器の底部により近い端部部分である。従って、上端部分は、喫煙物品の反対端である。喫煙物品がフィルタを含む場合、喫煙物品の上端部分は、典型的には喫煙物品のフィルタ端部である。
【００１４】
用語「縦方向」は、底部から上部へ又はその反対の方向を意味する。用語「横方向」は、前壁、背面壁、又は側壁の１つを横切って縦方向に垂直な方向を意味する。参照される持ち上げ方向は、一般的に、容器の底壁から離れる縦方向である。
【００１５】
用語「ヒンジ線」は、容器を開くためにその周りで蓋がピボット回転することができる線を意味する。ヒンジ線は、例えば、容器の背面壁の折り畳み線又は切り込み線とすることができる。代替的に、ヒンジ線は、蓋の背面壁の下縁と箱の背面壁の上縁とを架橋する材料の一片における折り畳み線又は切り込み線とすることができる。そのような材料の一片は、例えば、蓋の背面壁と箱の背面壁に恒久的に又は取外し可能に取り付けられたラベルとすることができる。好ましくは、ヒンジ線は、背面壁の上縁の下のレベルに容器の背面壁に沿って位置決めすることができる。
【００１６】
好ましくは、喫煙物品は、喫煙物品の長さの約５パーセントと約５０パーセントの間、好ましくは、喫煙物品の長さの約１０パーセントと約３０パーセントの間だけ容器の底部から持ち上げられる。
【００１７】
好ましくは、持ち上げ要素は、例えば、内側ライナ、内側フレーム、インサート、オンサート、又はアウトサートのような既存の包装構成要素の一部であるか、又は上に列挙した既存の包装構成要素のいずれかのためのブランク材の一片である。
【００１８】
好ましくは、容器内の少なくとも１つの喫煙物品は、持ち上げ要素によって係合するように構成されたその外側に完全リング又は完全リングの区画の形態の肩部を含む。肩部は、喫煙物品のロッド端部から喫煙物品の唇側端部に向う方向に喫煙物品の直径が変化する喫煙物品に沿った区画である。肩部は、突起の形態のリング要素、並びにラッチ又は僅かに減少した喫煙物品の直径の形態のリング要素を有することができる。代替的に又は追加的に、肩部は、持ち上げ要素の係合部分によって係合することができる部分を提供する喫煙物品に固定された付加的な部分によって形成することができる。肩部は、好ましくは、持ち上げ要素があらゆる周方向位置で喫煙物品に係合することができるように完全に角張って形成される。しかし、容器内の喫煙物品の配置次第で、肩部はまた、喫煙物品の周りに単に部分的に延びることができる。肩部は、持ち上げ要素が喫煙物品を持ち上げるために喫煙物品の肩部に対して持ち上げ方向に確実に力を伝達することができるように、正のロッキング又は摩擦ロッキングを提供するような持ち上げ要素の係合を可能にする。
【００１９】
本発明の一実施形態では、喫煙物品の肩部は、喫煙物品の周方向に包まれた先端紙の下端によって形成される。先端紙は、一般的に、全てのフィルタ付きシガレット又はフィルタ付きシガーのために使用され、かつ実質的に喫煙物品のフィルタ部分の周りを包んでいる。しかし、フィルタを含まない喫煙物品はまた、喫煙物品の一端の視覚的及び触覚的様相を変えるために紙リングを含むことができる。持ち上げ要素の先端紙の縁部との係合は、フィルタ付きシガレットにおいて既に一般的に利用可能な特徴を持ち上げ機能性を提供するのに使用することができるという恩典を提供する。本発明により、フィルタ付きシガレットは、本発明による持ち上げ要素と係合するために何の修正も必要としない。従って、喫煙物品の製造工程を変更する必要がないので、持ち上げ機能性の実施が廉価である。
【００２０】
好ましくは、持ち上げ要素の寸法は、それがカップ形状箱の開口部から先端紙の下縁の下まで延びるようなものである。この特徴は、持ち上げ要素を先端紙の縁部に確実に係合させて喫煙物品を持ち上げるために、持ち上げ要素の上部に向う持ち上げ移動だけしか必要としないという恩典を提供する。
【００２１】
本発明の別の実施形態により、持ち上げ要素は、喫煙物品の外側上端部分との単なる摩擦係合にある。従って、係合は、摩擦力を通じて起こる。持ち上げ要素によるカップ形状箱の底部からの喫煙物品の持ち上げを可能にするために突起又は肩部などが何も必要ない。本発明はまた、先端紙などを含まないが、好ましくは正のロッキングのためのいずれの縁部もない単にほぼ円筒形又は長円形外観の喫煙物品に適用することができる。喫煙物品の外側上端部分上の付加的な突起、縁部、又は肩部は、摩擦係合をサポートすることができる。更に、持ち上げ要素又は喫煙物品又は両方は、喫煙物品又は持ち上げ要素の面の残り部分と比較して摩擦係数が大きい表面積を有することができる。これは、例えば、粗い又は粘着性の面とすることができる。好ましくは、そのような持ち上げ要素は、喫煙物品の外側上端部分の少なくとも２つの位置、より好ましくは、喫煙物品の外側上端部分の円周上で互いに反対の２つの位置と同時に相互作用することにより、喫煙物品の外側上端部分との摩擦を通じてのみ相互作用する。
【００２２】
好ましくは、持ち上げ要素は、係合部分として突起を含む。突起は、正のロッキングにおいて喫煙物品の肩部に係合する部分を形成するように適応させることができる。代替的に、突起は、持ち上げ要素と喫煙物品の間の摩擦係合のための法線力を提供することができる。喫煙物品に対する突起の法線力は、喫煙物品の突起と肩部の間の正のロッキングにおける係合を保証するのに使用することができる。
【００２３】
法線力は、突起自体の又は持ち上げ要素を喫煙物品の方を向くように弾力的に押し付ける容器のそのいずれかの弾性特性によって発生させることができる。
【００２４】
一実施形態では、突起は、持ち上げ要素内の折り目に沿って折り畳まれた持ち上げ要素のフラップによって形成される。従って、それ以外は平坦なブランク材の一部分だけが折り畳まれて持ち上げ要素を形成し、それによって突起を形成する。折り目の弾力性は、喫煙物品に向うフラップの法線力を発生させるために使用することができる。
【００２５】
フラップは、喫煙物品に向う方向、特に、喫煙物品に向う上向き方向に延びることができる。好ましくは、フラップは、横方向フラップヒンジ線の周りで持ち上げ要素から垂れ下がる。好ましくは、フラップは、喫煙物品と係合する少なくとも１つの横方向係合縁部を更に含む。好ましくは、フラップは、矩形又は台形形状を有する。
【００２６】
一実施形態では、横方向フラップヒンジ線は、フラップの自由部分が上方を指すようにフラップの下端上に位置付けられる。この実施形態では、好ましくは、フラップが喫煙物品に向う方向に予め折り畳まれる。有利な態様では、フラップヒンジ線の折り目の弾性力は、フラップを組み立てられたパック内の喫煙物品に向けて付勢されたままに維持することになる。
【００２７】
代替的な実施形態では、横方向フラップヒンジ線は、フラップの自由部分が下向きを指すようにフラップの下端上に位置付けられる。後者の場合には、フラップは、好ましくは、弾性力が持ち上げ要素から離れるようにフラップを押し出し、フラップが喫煙物品と接触するように、９０度よりも大きい角度に予め折り畳まれる。更に、この特徴は、喫煙物品の持ち上げ中に下向き方向の力がフラップに加えられた時に、フラップが強制的に喫煙物品の方向に向けられてその結果係合が確実になるという恩典を可能にする。これは、持ち上げ要素をその最初の位置に押し戻すことができる一方で喫煙物品が持ち上げられた位置に留まるという更に別の効果を有する。
【００２８】
一実施形態では、容器は、喫煙物品を取り囲む内側ライナを含み、内側ライナは、喫煙物品にアクセスすることができるように、取り外されるように構成されたプルホイルを含む。この実施形態では、持ち上げ要素は、それが喫煙物品と係合することができるようにプルホイルの内側に取り付けられる。好ましくは、持ち上げ要素は、喫煙物品の少なくとも一部の外側上端部分の下で喫煙物品と接触し、プルホイルが取り外された時に喫煙物品に係合してそれを持ち上げる。内側ライナの上部前部区画は、典型的には、内側ライナ内の喫煙物品にアクセスするために取外し可能なプルホイルを形成するように穿孔される。この実施形態は、内側ライナの切断の前に持ち上げ要素を内側ライナに設けることができるという恩典を提供する。特に、持ち上げ要素は、ライナの切断の前に係合部分を提供するように既に折り畳まれたフッキングテープである。
【００２９】
別の実施形態では、容器は、喫煙物品を取り囲む内側ライナを含む。持ち上げ要素は、内側ライナが取り外されると喫煙物品と接触するようになる。内側ライナの上部前部区画は、典型的には、内側ライナ内の喫煙物品にアクセスするために取外し可能なプルホイルを形成するように穿孔される。好ましくは、プルホイルは、プルホイルが取り外された時に喫煙物品の外側上端部分が持ち上げ要素と接触することができるように形成される。代替的に、持ち上げ要素は、内側ライナ内に、例えば、喫煙物品の２列の間の喫煙物品の列と内側ライナの内側との間に配置することができる。
【００３０】
一実施形態では、持ち上げ要素は、プルホイルに取り付けられる。このようにして、少なくとも１つの喫煙物品が持ち上げられて消費者のための簡単なアクセスが提供されるように、プルホイルの取り外しが自動的に持ち上げ要素を持ち上げる。持ち上げ要素は、喫煙物品が持ち上げられた位置にある時にプルホイルと共に容器から完全に取り外すことができる。
【００３１】
プルホイルは、プルホイルに対して所定の最大引張力を超えた時に持ち上げ要素から取り外すことができる。従って、プルホイルは、プルホイルを引くことによって持ち上げ要素を喫煙物品と共に持ち上げた後に容器から個々に取り外すことができる。これは、持ち上げ要素がパック内に留まり、かつ最終的に喫煙物品のその後の持ち上げ動作のために再使用することができ、一方で喫煙物品にアクセスするようにプルホイルが個々に取り外されるということを可能にする。
【００３２】
一実施形態では、持ち上げ要素は、持ち上げ要素のための停止を提供するように、持ち上げ要素が所定の持ち上げ高さに持ち上げられた時にカップ形状箱に係合するように構成された第２のフラップを含む。これは、喫煙物品の持ち上げ動作が行われた後に定められた位置での持ち上げ要素の停止を可能にする。好ましくは、持ち上げ要素は、喫煙物品への消費者のアクセスを制限することなく定められた位置に留まる。例えば、内側フレームの下縁は、持ち上げ要素の第２のフラップと係合する停止部として機能することができる。
【００３３】
更に別の実施形態では、持ち上げ要素は、持ち上げ要素の別々の高さに設けられたいくつかのフラップを含むことができる。従って、いくつかの喫煙物品は、別々の喫煙物品が消費者のために容易にアクセス可能であり、かつ持ち上げられた喫煙物品の配置が美的に訴えるように異なる高さに持ち上げることができる。
【００３４】
好ましくは、持ち上げ要素は、カップ形状箱の１つの箱壁に対して少なくとも部分的に平行に延び、少なくとも１つの隣接する箱壁によって案内される。これは、持ち上げ要素が、持ち上げ過程の間に望ましい位置にあり、従って、喫煙物品をカップ形状箱の外へ確実に持ち上げることができるように喫煙物品の上端部分の外側で喫煙物品に適切に係合することを可能にする。持ち上げ要素は、カップ形状箱と物理的に接触することができる。例えば、持ち上げ要素は、カップ形状箱の内部と実質的に同じ幅を有する。従って、持ち上げ要素は、箱の側壁と密接に相互に関連付けられ、従って、そこに確実に案内することができる。
【００３５】
好ましくは、容器は、箱内に装着された内側フレームを含み、内側フレームは、容器の箱の少なくとも前壁の上縁の上方に延びている。内側フレームは、蓋が開いた時に消費者に可視になる。内側フレームの前壁には、箱の前壁に印刷された印しと同じか又は異なる印しを印刷することができる。代替的に又は追加的に、内側フレームの前壁は、例えば、消費財の銘柄を反映させるように独特の形状に切断することができる。必要に応じて、内側フレームはまた、容器の平坦化を容易にするために容器の脆弱線を含むことができる。
【００３６】
好ましくは、内側フレームの前壁には、その上縁に切り欠き部分を設けることができる。これは、内側フレームの前壁の表面積を有意に低減することなく容器内の喫煙物品に対してより便利なアクセスを可能にする。
【００３７】
本発明による容器は、直角縦方向及び直角横方向縁部を含む直方体の形状とすることができる。代替的に、容器は、１つ又はそれよりも多くの丸形縦方向縁部、丸形横方向縁部、斜面付き縦方向縁部、又は斜面付き横方向縁部、又はその組合せを含むことができる。例えば、本発明による容器は、限定ではないが、以下を含むことができる。
−前壁上の１つ又は２つの縦方向丸形又は斜面付き縁部、及び／又は
−背面壁上に１つ又は２つの縦方向丸形又は斜面付き縁部、
−前壁上の１つ又は２つの横方向丸形又は斜面付き縁部、及び／又は
−背面壁上の１つ又は２つの横方向丸形又は斜面付き縁部、
−前壁上の１つの縦方向丸形縁部及び１つの縦方向斜面付き縁部、及び／又は
−背面壁上に１つの横方向丸形縁部及び１つの横方向斜面付き縁部、
−前壁上の１つ又は２つの横方向丸形又は斜面付き縁部、及び前壁上の１つ又は２つの縦方向丸形又は斜面付き縁部、
−第１の側壁上の２つの縦方向丸形又は斜面付き縁部、又は第２の側壁上の２つの横方向丸形又は斜面付き縁部。
【００３８】
容器が１つ又はそれよりも多くの丸形縁部を含み、かつ積層ブランク材で作られる場合、好ましくは、ブランク材は、３つ、４つ、５つ、６つ、又は７つの切り込み線又は折り畳み線を含み、組み立てられた容器に丸形縁部を形成する。切り込み線又は折り畳み線は、容器の内側上又は容器の外側上のいずれかとすることができる。好ましくは、切り込み線又は折り畳み線は、約０．３ｍｍと４ｍｍの間だけ互いに離間する。
【００３９】
好ましくは、切り込み線又は折り畳み線の間隔は、積層ブランク材の厚みの関数である。好ましくは、切り込み線又は折り畳み線の間隔は、積層ブランク材の厚みよりも約０．５から約４倍大きい。
【００４０】
容器が１つ又はそれよりも多くの斜面付き縁部を含む場合、好ましくは、斜面付きの１つ又はそれよりも多くの縁部は、約１ｍｍと約１０ｍｍの間、好ましくは、約２ｍｍと約６ｍｍの間の幅を有する。代替的に、容器は、２つの異なる斜面が容器の縁部上に形成されるように離間した３つの平行な切り込み線又は折り畳み線によって形成された２重斜面を含むことができる。
【００４１】
矩形横方向断面を有する容器の代替として、容器は、例えば、三角形、四角形、又は六角形のような多角形断面、又は長円形、半長円形、円形、又は半円形の断面を有することができる。
【００４２】
容器が斜面付き縁部を含み、かつ積層ブランク材で作られる場合、斜面は、積層ブランク材の２つの平行な切り込み線又は折り畳み線によって形成することができる。切り込み線又は折り畳み線は、第１の壁と第２の壁の間で縁部に対して対称に配置することができる。代替的に、切り込み線又は折り畳み線は、斜面が容器の第２の壁の中よりも容器の第１の壁の中に更に延びるように、第１の壁と第２の壁の間で縁部に対して非対称に配置することができる。
【００４３】
容器は、以下に限定されるものではないが、厚紙、板紙、プラスチック、金属、又はその組合せを含むあらゆる適切な材料から形成することができる。好ましくは、厚紙は、平方メートル当たり約１００グラムと平方メートル当たり約３５０グラムの間の重量を有する。
【００４４】
本発明による容器は、以下に限定されるものではないが、公知の着火端部シガレット、シガー、又はシガリロ、可燃性燃料要素又は熱源及びエーロゾル発生基体を含む加熱式喫煙物品（例えば、ＵＳ−Ａ−４，７１４，０８２に開示する種類のシガレット）、及び電気式喫煙システムに使用するための喫煙物品（例えば、ＵＳ−Ａ−５，６９２，５２５に開示する種類のシガレット）を含む喫煙物品を包装するのに有利に使用することができる。
【００４５】
その寸法の適切な選択により、本発明による容器は、異なる総数の喫煙物品、又は異なる配置の喫煙物品を保持するように設計することができる。その寸法の適切な選択により、本発明による容器は、総数が１０と３０の間の喫煙物品を保持するように設計することができる。
【００４６】
本発明による容器は、１つ、２つ、３つ、４つ、又は５つの喫煙物品の別々の束を保持することができる。別々の束は、前壁に対して及び背面壁に対して実質的に平行に又は前壁に対して及び背面壁に対して実質的に垂直に配置することができる。
【００４７】
喫煙物品は、喫煙物品の総数、喫煙物品の寸法、又は容器の断面形状に応じて、束内に異なる丁合で配置することができる。例えば、喫煙物品は、５、６、７、８、９、又は１０の１列の束に配置することができる。代替的に、喫煙物品は、２つ又はそれよりも多くの列に配置することができる。２つ又はそれよりも多くの列は、同じ数の喫煙物品を収容することができる。例えば、喫煙物品は、５、６、７、８、９、又は１０の２列、５、６、７、８、９、又は１０の３列、４、５、６、又は７の４列に配置することができる。代替的に、２つ又はそれよりも多くの列は、互いに対して異なる数の喫煙物品を収容する少なくとも２列を含むことができる。例えば、喫煙物品は、５の列と６の列（５−６）、６の列と７の列（６−７）、７の列と８の列（７−８）、５の中央列と６の外側２列（６−５−６）、５の中央列と７の外側２列（７−５−７）、６の中央列と５の外側２列（５−６−５）、６の中央列と７の外側２列（７−６−７）、７の中央列と６の外側２列（６−７−６）、９の中央列と８の外側２列（８−９−８）、又は６の中央列と５の外側１列と７の外側１列（５−６−７）の状態で配置することができる。
【００４８】
本発明による容器は、同じ種類又は銘柄、又は異なる種類又は銘柄の喫煙物品を保持することができる。更に、フィルタなし喫煙物品及び様々なフィルタチップ付きの喫煙物品の両方、並びに異なる長さ（例えば、約４０ｍｍと約１８０ｍｍの間）及び直径（例えば、約４ｍｍと約９ｍｍの間）の喫煙物品を収容することができる。更に、喫煙物品は、風味の強度、吸引抵抗、及び総粒子状物質送出量が異なる場合がある。容器が１つよりも多くの束を含む場合、同じ容器内のそれぞれの束は、上に説明したような同じか又は異なる喫煙物品を保持することができる。
【００４９】
好ましくは、容器の寸法は、喫煙物品の長さと喫煙物品の丁合に適合される。容器の寸法は、典型的には、容器に収容された喫煙物品の束の寸法よりも約０．５ｍｍから約５ｍｍ大きい。
【００５０】
好ましくは、本発明による容器は、容器の上壁から底壁まで測定した高さで約６０ｍｍと約１５０ｍｍの間の高さ、より好ましくは、約７０ｍｍと約１２５ｍｍの間の高さを有する。
【００５１】
好ましくは、本発明による容器は、容器の第１の側壁から第２の側壁まで測定した幅で約１２ｍｍと約１５０ｍｍの間の幅、より好ましくは、約７０ｍｍと約１２５ｍｍの間の幅を有する。
【００５２】
好ましくは、本発明による容器は、容器（箱と蓋の間にヒンジを含む）の前壁から背面壁まで測定した深さで約６ｍｍと約１００ｍｍの間の深さ、より好ましくは、約１２ｍｍと約２５ｍｍの間の深さを有する。
【００５３】
好ましくは、容器の高さ対容器の深さの比率は、約０．３対１と約１０対１の間、より好ましくは、約２対１と約８対１の間、最も好ましくは、約３対１と約５対１の間である。
【００５４】
好ましくは、容器の幅対容器の深さの比率は、約１対１と約１０対１の間、より好ましくは、約２対１と約８対１の間、最も好ましくは、約２対１と約３対１の間である。
【００５５】
好ましくは、蓋背面壁の高さ対箱背面壁の高さの比率は、約０対１（ヒンジが容器の上端に設けられる）から約１対１の間、より好ましくは、約１対５と約１対１０の間、最も好ましくは、約１対６と約１対８の間である。
【００５６】
好ましくは、蓋前壁の高さ対箱前壁の高さの比率は、約１対０（蓋が前壁全体を覆う）から約１対１０の間、より好ましくは、約１対１と約１対５の間、最も好ましくは、約１対２と約１対３の間である。
【００５７】
本発明による容器の外部表面、内部表面、及び外部表面及び内部表面の両方は、製造業者又は銘柄ロゴ、商標、スローガン、及び他の消費者情報及び印しを用いて印刷、エンボス、デボス、又はその他の方法で装飾することができる。代替的に又は追加的に、本発明による容器の外部表面、内部表面、又は外部表面及び内部表面の両方は、ラッカー、金属化、ホログラム、発光性材料、又は容器の感触、臭い、又は外観を変えるいずれかの他の材料を用いて少なくとも部分的に覆うことができる。
【００５８】
本発明による容器の内側ハウジングが喫煙物品の１つ又はそれよりも多くの束を収容する場合、喫煙物品は、好ましくは、例えば、金属箔又は金属化紙の内側ライナに包まれる。
【００５９】
容器が、喫煙物品を含む場合、容器は、廃棄物のための仕切り（例えば、灰又は吸い殻のための）、又は例えばマッチ、ライター、消火手段、気分転換剤、又は電子機器のような他の消費財を更に含むことができる。他の消費財は、容器の外側に取り付けるか、容器の個々の仕切り内に喫煙物品と共に容器に収容するか、又はその組合せとすることができる。
【００６０】
充填された状態で、本発明による容器は、例えば、高密度又は低密度ポリエチレン、ポリプロピレン、配向ポリプロピレン、ポリ塩化ビニリデン、セルロースフィルムのような透明なポリマーフィルム又はその組合せを用いて、従来の方法で収縮包装又はその他の方法で上包装することができる。本発明による容器が上包装される場合、上包装包装紙は、開封テープを含むことができる。開封テープは、好ましくは、開封テープが取り外された状態で蓋が第１のヒンジ線の回りに自由に回転するように、蓋の前壁の下縁の下方の容器の周りに位置決めされる。代替的に又は追加的に、開封テープが取り外された状態でハッチが第２のヒンジ線の回りに自由に回転するように、ハッチの上方の容器の周りに位置決めされた第２の開封テープが存在する場合がある。代替的に、開封テープは、容器の周りに縦方向に設けることができる。
【００６１】
本発明による容器は、更に、カップ形状箱が厚紙などで作られた容器と比較して低い曲げ強度又は厚みを有する材料で作られたいわゆるソフトパックを含む。しかし、持ち上げ要素は、ソフトパックがちょうどよく喫煙物品で満たされた場合、持ち上げ動作中に喫煙物品と確実に接触するようになる。
【００６２】
持ち上げ要素は、喫煙物品との係合を可能にする十分な強度を提供することができるあらゆる材料で形成することができる。特に、持ち上げ要素がフラップを含む場合、フラップ領域内の材料は、持ち上げ動作中に喫煙物品にぴったりと係合するように十分な強度を提供すべきである。持ち上げ要素は、紙、厚紙、並びにポリマー材料から形成することができる。
【００６３】
添付図面は、本発明の原理を説明する目的のために明細書の一部を形成するように組み込まれている。図面は、本発明が作られて使用される方法の例示的かつ説明的な例だけに本発明を制限するものと解釈すべきではない。添付図面に示すような本発明の以下の説明から更に別の特徴及び利点が明らかになるであろう。
【図面の簡単な説明】
【００６４】
【図１】蓋が閉じている第１の実施形態による容器の断面図である。
【図２】喫煙物品が持ち上げられた第１の実施形態による容器の断面図である。
【図３】図２のように先端紙の縁部に係合している持ち上げ要素の拡大図である。
【図４】喫煙物品が持ち上げられた第２の実施形態による容器の断面図である。
【図５】喫煙物品が持ち上げられた第３の実施形態による容器の断面図である。
【図６】本発明の第４の実施形態による容器の断面図である。
【図７】本発明の第５の実施形態による容器の断面図である。
【図８】本発明の第１又は第２の実施形態による持ち上げ要素の平面図である。
【図９】本発明による持ち上げ要素の平面図である。
【図１０】本発明による持ち上げ要素の平面図である。
【図１１】本発明による持ち上げ要素の平面図である。
【図１２】本発明の第３の実施形態による持ち上げ要素の平面図である。
【図１３】本発明の第４の実施形態による持ち上げ要素の平面図である。
【図１４】本発明による持ち上げ要素の平面図である。
【図１５】本発明の第５の実施形態による内側ライナ上に配置された持ち上げ要素の平面図である。
【図１６】喫煙物品の外側上端と相互作用する本発明による持ち上げ要素の平面図である。
【発明を実施するための形態】
【００６５】
図１には本発明の第１の実施形態による容器１の断面図が示されている。容器１は、ヒンジ線４に沿って接続されたカップ形状箱２と蓋３とを含む。蓋３は、開いた状態（図２）でヒンジ線４に沿ってピボット回転することができる。カップ形状箱２は、箱前壁５、箱右側壁、箱左側壁、箱底壁８、及びヒンジ線４に隣接する箱背面壁９を含む。蓋３は、蓋前壁１０、蓋右側壁、蓋左側壁、蓋上壁１３、及びヒンジ線４に隣接する蓋背面壁１４を含む。好ましくは、箱２及び蓋３は、説明した幾何学形状を形成するように折り畳まれて接着された１つのブランク材で形成される。
【００６６】
容器１は、上述の箱壁と平行に突出するように箱前壁５、箱右側壁、及び箱左側壁の内側に固定された内側フレーム１５含む。内側フレーム１５は、蓋３が確実に閉じたままに留まり、容器１の内容物が保護されるように、それが閉じている時に蓋３と係合する。内側フレーム１５は、箱２の内容物へのアクセスを可能にする切り欠き部１６を含む。
【００６７】
箱２は、内側ライナ１８内に位置付けられる喫煙物品１７の包まれた束を含む。内側ライナ１８は、通常は、金属化紙で作られる。内側ライナ１８は、喫煙物品１７の周りでそれ自体に接着する。内側ライナ１８の上部前部区画は、内側ライナ１８内の喫煙物品１７にアクセスするために取り外すことができるプルホイル１９を形成する。従って、内側ライナ１８は、プルホイル１９を引っ張った時に取り外すことができるように穿孔される。
【００６８】
内側フレーム１５、それぞれ箱前壁５及び内側ライナ１８の間に、持ち上げ要素２０がインサートの形態で配置される。持ち上げ要素２０には、内側フレーム１５の切り欠き部１６の前部側面からアクセスすることができる。
【００６９】
図２は、プルホイル１９が取り外され、かつ喫煙物品１７が持ち上げられるように持ち上げ要素２０が持ち上げられた本発明の第１の実施形態による容器の状態を示している。
【００７０】
箱２は、通常は、喫煙物品１７の束の周りにぴったりと適合する。従って、喫煙物品１７を直接に掴んで取り出すのは困難である。特に、喫煙物品１７の上端のフィルタ又は同様の要素は、便利な取り出し動作に対して適応されるべきである。これは、特に、埋め込みフィルタ先端付き喫煙物品の場合に当て嵌まる。しかし、本発明により、喫煙物品１７は、箱２から直接に取り出されず、最初に持ち上げ要素２０によって持ち上げられる。
【００７１】
持ち上げ要素２０は、少なくとも１つの喫煙物品１７に係合し、図２に示すように持ち上げ要素２０の移動と共に喫煙物品１７を持ち上げる。従って、持ち上げ要素２０は、喫煙物品１７の上端部分と連結するフックを含む。持ち上げ要素２０は、ある一定の高さまで持ち上げられると取り外すことができる。一部の喫煙物品１７は、都合の良い方法でかつフィルタ部分の端部に接触することなく持ち上げられて容易に取り出すことができる。
【００７２】
３列の喫煙物品１７が、箱前壁５と箱背面壁９の間に提供される。蓋３は、蓋前壁１０が箱前壁５に隣接するように閉じた状態にある。内側フレーム１５は、箱前壁５の背面側に特にそこに接着することによって固定される。
【００７３】
喫煙物品１７は、内側ライナ１８のプルホイル１９を取り外すことができるような穿孔２１を含む内側ライナ１８に包まれる。内側フレーム１５、それぞれ箱前壁５及び喫煙物品１７の第１の列の間に、喫煙物品１７に向けて上方に延びるフラップ２２を含む持ち上げ要素２０が設けられる。
【００７４】
喫煙物品１７は、喫煙物品１７の外側上端部分に先端紙２３を含む。先端紙２３は、特にシガレット紙２５である喫煙物品１７の前部部分の上に小さい縁部２４又はリップを形成する。
【００７５】
プルホイル１９の高さを定める穿孔２１は、好ましくは、先端紙長さ１０１、安全マージン１０２、及び喫煙物品１７の上部から測定した持ち上げ要素フラップ長さ１０３の合計を少なくとも下回るような位置に形成される。好ましくは、持ち上げ要素フラップ長さ１０３は、４ｍｍであり、安全マージン１０２は、４ｍｍである。先端紙長さ１０１は、例えば、３２ｍｍである。
【００７６】
プルホイル１９が取り外された時に、持ち上げ要素２０のフラップ２２は、先端紙２３の縁部２４の下で喫煙物品１７と接触する。フラップ２２が折り目２６に沿って折り畳まれ、かつ持ち上げ要素の材料に固有の弾力性がフラップ２２に対して喫煙物品１７の方向に力を生じる時に、フラップ２２の緊密な接触が可能になる。この時点で、持ち上げ要素２０の上側部分２７にいくらかの圧力が加えられ、持ち上げ要素２０が摩擦力によって上部まで移動される。
【００７７】
ある一定の高さ距離の持ち上げ移動の後に、持ち上げ要素２０は、そのフラップ２２で先端紙２３の縁部２４と係合する。
【００７８】
図３は、持ち上げ要素２０のフラップ２２と先端紙２３の縁部２４との間の係合の拡大図である。この実施形態では、持ち上げ要素２０のフラップ２２と喫煙物品１７の間の係合に十分である縁部２４を形成する先端紙２３の厚みのために係合が可能である。この係合は、折り目２６の弾性力及び持ち上げ要素２０の上側部分２７に対して消費者によって加えられる圧力によってサポートされる。持ち上げ要素２０の上側部分２７に力が加えられると、これが喫煙物品１７の上側部分と接触するようになる。
【００７９】
その後、図２に示すように、持ち上げ要素２０は、更に持ち上げられ、箱２の開口部から外に突出するように喫煙物品１７を持ち上げる。次に、喫煙物品１７は、容易に取り出すことができる。持ち上げ要素２０が更に上部まで移動されると、持ち上げ要素２０は、容器１から取り外すことができる。
【００８０】
図４には本発明の第２の実施形態が示されているが、第１の実施形態との主要な違いは、インサートである持ち上げ要素２０をプルホイル１９に固定する固定手段２８が設けられるということである。更に、引き続きフラップ２２と先端紙２３の縁部２４との間の係合を可能にするために、この時点でプルホイル１９の穿孔２１がフラップ２２の直ぐ上方に配置される。
【００８１】
すなわち、消費者がプルホイル１９を持ち上げると、穿孔２１が引き裂かれて持ち上げ要素２０がプルホイル１９と共に持ち上げられる。持ち上げ要素２０は、そのフラップ２２で先端紙２３の縁部２４と係合し、少なくとも１つの喫煙物品１７を容易にアクセス可能にし、図４に示す位置で持ち上げる。
【００８２】
プルホイル１９は、持ち上げ要素２０及びプルホイル１９を一緒に捨てることができるように、持ち上げ要素２０が箱２から取り外されるまで消費者によって持ち上げることができる。
【００８３】
図５には、本発明による容器の第３の実施形態が示されている。インサートである持ち上げ要素２０は、折り目２６に対してより低い位置に配置された第２の折り目３０に沿って折り畳まれた少なくとも１つの第２のフラップ２９を付加的に含む。第２のフラップ２９は、箱前壁１に向けて延びている。
【００８４】
図５のように持ち上げ要素２０が完全に持ち上げられると、第２のフラップ２９は、容器１と係合し、持ち上げ要素２０が容器１から完全に取り外されるのを防止する停止部をもたらす。これは、持ち上げ要素２０が再使用されること、すなわち、第１の喫煙物品１７を取り外した後に持ち上げられた残りの喫煙物品１７と共に持ち上げ要素２０を再度下げることを可能にする。更に別の取り出し動作では、別の喫煙物品１７を持ち上げ要素２０と共に持ち上げることができる。好ましくは、第２のフラップ２９は、持ち上げられた位置で内側フレーム１５の下縁と係合し、持ち上げ要素２０が内側フレーム１５の上縁と同一平面になる。
【００８５】
本発明により、図４の第２の実施形態の特徴を図５の第３の実施形態と組み合わせることができる。すなわち、少なくともフラップ２２と第２のフラップ２９とを含む持ち上げ要素２０は、固定手段２８によってプルホイル１９に固定される。この組合せの場合、固定手段２８は、プルホイル１９に対する所定の最大引張力を超えた時に、持ち上げ要素２０からプルホイル１９が取り外されるように選択されることが好ましい。これは、第２のフラップ２９が内側フレーム１５の下縁に係合する時に当て嵌まる。
【００８６】
すなわち、単に１つの動作、すなわち、プルホイル１９を引くことにより、容器１は、プルホイル１９が持ち上げ要素２０から既に取り外された図５に示す構成にもたらされる。
【００８７】
図６は、インサートである持ち上げ要素２０が、２列の喫煙物品１７の間に配置され、かつ内側ライナ１８に収容された喫煙物品１７の束内に配置された本発明の第４の実施形態を示している。容器１の蓋３が開くと、プルホイル１９が取り外され、持ち上げ要素２０のハンドル部分３１に消費者がアクセス可能である。消費者は、次に、ハンドル部分３１を持ち上げ、従って、特に、先端紙２３の縁部２４での持ち上げ要素２０のフラップ２２の喫煙物品１７との係合が可能になる。喫煙物品１７は、次に、持ち上げ要素２０が箱２内部から取り外されるまで持ち上げられる。従って、箱２の第２列の喫煙物品１７は、消費者が容易にアクセス可能である。
【００８８】
図６の実施形態に関して、接着剤のような固定手段によってハンドル部分３１を内側ライナ１８のプルホイル１９に固定することも可能である。プルホイル１９を引いてそれを取り外すことにより、持ち上げ要素２０が持ち上げられ、上述の機能によって喫煙物品１７に係合する。従って、１つの動作でプルホイル１９が取り外され、第２列の喫煙物品１７をそれらが消費者によって都合の良い方法でアクセス可能なように持ち上げることができる。
【００８９】
図７は、持ち上げ要素２０が、内側ライナ１８の内側、特に、プルホイル１９の区域に取り付けられたフッキングテープ３３である本明細書の第５の実施形態を示している。フッキングテープ３３は、プルホイル１９を有する内側ライナ１８を形成する材料に取り付けられる。内側ライナ１８は、喫煙物品を包んでプルホイル１９を提供するのに望ましい形状に切断される。フッキングテープ３３は、好ましくは、内側ライナ１８の材料が切断される前に既に折り畳まれたフラップ２２を含む。容器１の蓋３が開かれる時に、プルホイル１９は、取り外すことができる。プルホイル１９の取り外し中に、フッキングテープ３３の形態の持ち上げ要素２０は、喫煙物品１７の先端紙２３の縁部２４に係合することになる。フッキングテープは、プルホイル１９がフッキングテープ３３と共に完全に取り外されるまで喫煙物品１７を持ち上げる。従って、少なくとも１つの喫煙物品１７が容易にアクセス可能である。
【００９０】
図８から１４には、本発明によるインサートの形態の持ち上げ要素のいくつかの実施形態が示されている。
【００９１】
図８は、図１から４の第１及び第２の実施形態に適用することができる時の持ち上げ要素２０を表している。持ち上げ要素２０は、持ち上げ要素２０の下縁に沿って少なくとも部分的に延びるフラップ２２を含む。持ち上げ要素２０は、２次元のブランク材であり、かつ部分的に穿孔することができる折り目２６を含み、それに沿って容易に折り畳むことができる。持ち上げ要素２０が容器１内に挿入される前に、フラップ２２は、折り目２６に沿って上向き方向に折り畳まれる。従って、図８による持ち上げ要素２０は、喫煙物品１７の第１列の中心の３つの喫煙物品を持ち上げ、一方で２つの左側面の喫煙物品１７及び２つの右側面の喫煙物品１７を持ち上げないように適応させることができる。
【００９２】
喫煙物品１７を非対称に持ち上げるために、図９によるブランク材が使用されて持ち上げ要素２０を形成する。持ち上げ要素２０は、折り目２６を含むフラップ２２と切り欠き部３２とを１つの下側側面に含む。フラップ２２は、例えば、容器１の喫煙物品１７の第１列の左側面上の３つの喫煙物品１７の係合を可能にするように上向き方向に折り畳むことができる。
【００９３】
図１０は、持ち上げ要素２０の全幅に沿って持ち上げ要素２０のフラップ２２を含む持ち上げ要素２０のためのブランク材を示している。従って、持ち上げ要素２０は、容器１の前列に存在する全ての喫煙物品１７に係合するようになっている。
【００９４】
図１１は、別々の高さでフラップ２２を提供する持ち上げ要素２０のためのブランク材を示している。従って、この持ち上げ要素２０が、喫煙物品１７に係合して持ち上げるために使用される場合、中心の喫煙物品１７は、容器１内の喫煙物品１７の第１列内の中心の喫煙物品１７に隣接する喫煙物品１７よりも高く持ち上げられることになる。フラップ２２は、それらが喫煙物品１７に向う方向に延びるような方向に折り畳まれる。
【００９５】
図１２は、図５の第３の実施形態に適用された持ち上げ要素２０のためのブランク材を示している。持ち上げ要素２０は、喫煙物品１７に係合することができるようにそれに向う方向に折り目２６に沿って折り畳まれたフラップ２２を含む。更に、持ち上げ要素２０は、より低い位置に設けられ、かつ持ち上げ要素２０が特定高さに持ち上げられた後にそれに係合することができるように容器１に向けて第２の折り目３０に沿って折り畳まれた第２のフラップ２９を含む。
【００９６】
図１３は、図６による第４の実施形態に使用することができる持ち上げ要素２０のためのブランク材を示している。持ち上げ要素２０は、折り目２６及び切り欠き部３２によって形成されたフラップ２２を含む。フラップ２２は、喫煙物品１７に向けて折り畳んで外側上端部分でそれに係合することができる。更に、持ち上げ要素２０は、ハンドル部分３１を含み、これは、持ち上げ要素２０の上端に設けられ、かつプルホイル１９に固定されるか、又は持ち上げ要素２０を容易に掴んでそれを持ち上げることができるように使用される。
【００９７】
図１４は、本発明の別の実施形態による持ち上げ要素２０のためのブランク材を示している。ブランク材は、折り目２６と折り目２６から延びるブランク材の内側の切り欠き部３２とを含む。従って、ブランク材が折り目２６に沿って折り畳まれると、フラップ２２は、ブランク材の上側部分から外へ曲げられ、従って、喫煙物品１７の方向に突出して喫煙物品１７に係合することになる。ブランク材は、ブランク材の下側部分がブランク材の上側部分に接触して持ち上げ要素２０を形成するように折り目に沿って折り畳まれる。代替的に、折り目２６は、持ち上げ要素２０の全幅にわたって延びるのではなく、単にフラップにわたって延びる。一実施形態では、折り目２６は、容器１内に挿入された時にフラップ２２の下に位置付けられる。フラップ２２は、フラップ２２の係合縁部が持ち上げ要素の主本体の平面を離れるように僅かに喫煙物品に向けて事前に折り畳まれる。代替的な実施形態では、折り目２６は、容器１内に挿入された時にフラップ２２の上方に位置付けられる。この実施形態では、フラップは、フラップ２２の係合縁部がそれが容器にある時に上方に向くように、９０度よりも大きく事前に折り畳まれる。
【００９８】
図１５は、本発明の第５の実施形態に適用するための内側ライナ１８を示している。内側ライナは、プルホイルを容易に取り除くことを可能にするための穿孔２１を含む。更に、フッキングテープ３３の形態の持ち上げ要素２０は、それがプルホイル１９の領域を通って延びるようにその製造工程中に内側ライナ１８上に付加される。特に、フッキングテープ３３の形態の持ち上げ要素２０は、折り畳まれて内側ライナ１８の内側側面に取り付けられる。従って、内側ライナ１８が喫煙物品１７の束の周りを包んで容器１内に設けられた時に、図７に示す構成が得られる。フッキングテープ３３が内側ライナ１８の製造工程中に付加されるので、公知の製造工程に２次的な修正を実施する必要があるだけである。従って、容器の生産コストを低く留めることができる。
【００９９】
持ち上げ要素２０は、好ましくは、フラップ２２が喫煙物品１７と適正に係合することを可能にする十分な強度を有する材料から形成される。従って、例えば、紙、厚紙、及びポリマー材料を使用することができる。
【０１００】
更に、説明した持ち上げ要素２０の特徴は組み合わせることができ、例えば、ハンドル部分３１は、上述の持ち上げ要素２０上に設けられる。
【０１０１】
第２のフラップ２９は、持ち上げ要素２０の幅に沿ったいずれの位置にも設けることができる。更に、持ち上げ要素２０は、上側部分２７が消費者によって便利にアクセス可能になるより高い高さを有することができる。持ち上げ要素２０の高さは、容器１の箱２の上縁によってだけ制限される。
【０１０２】
フラップは、好ましくは、高さが３から４ｍｍである。フラップの折り目は、好ましくは、横向きである。
【０１０３】
図１６は、同時に２つの位置で喫煙物品１７の外側上縁と相互作用することができる本発明による持ち上げ要素２０の更に別の実施形態を示している。持ち上げ要素２０は、喫煙物品１７の外側上端と持ち上げ要素２０の間の摩擦を増すのに役に立つ２つの突起を有する。例えば、持ち上げ要素２０は、ヒンジ式蓋容器の蓋の一片、例えば、ダストフラップである。使用中に、図１６に示すように、持ち上げ要素２０は、例えば、穿孔線のような脆弱線に沿って引き裂くことによってブランク材から容易に分離することができる。次に、持ち上げ要素２０内の切り欠き部は、切り欠き部が挟みとして作用するように両側で喫煙物品１７の外側上端の上に置かれる。２つの突起２２は、持ち上げ要素２０が上方に引っ張られた時に喫煙物品１７を上に持ち上げるために持ち上げ要素２０と喫煙物品１７の間に十分な摩擦を生成する。容器ブランク材の一部とする代わりに、喫煙物品１７の外側上端の２つの側面上で喫煙物品１７に係合することにより喫煙物品１７を持ち上げることができる切り欠き部を提供するインサートを持ち上げ要素２０として設けることができる。
【符号の説明】
【０１０４】
１  容器
２  カップ形状箱
１７  喫煙物品
２０  持ち上げ要素
２２  係合部分
【図１】
2013500212.tif 000003
【図２】
2013500212.tif 000004
【図３】
2013500212.tif 000005
【図４】
2013500212.tif 000006
【図５】
2013500212.tif 000007
【図６】
2013500212.tif 000008
【図７】
2013500212.tif 000009
【図８】
2013500212.tif 000010
【図９】
2013500212.tif 000011
【図１０】
2013500212.tif 000012
【図１１】
2013500212.tif 000013
【図１２】
2013500212.tif 000014
【図１３】
2013500212.tif 000015
【図１４】
2013500212.tif 000016
【図１５】
2013500212.tif 000017
【図１６】
2013500212.tif 000018
【手続補正書】
【提出日】平成24年3月29日(2012.3.29)
【手続補正１】
【補正対象書類名】特許請求の範囲
【補正対象項目名】全文
【補正方法】変更
【補正の内容】
【特許請求の範囲】
【請求項１】
容器（１）であって、
喫煙物品を含み、
底壁と、側壁と、開口部とを含む前記喫煙物品（１７）のためのカップ形状箱（２）を更に含み、
前記容器の前記底壁の前記喫煙物品（１７）を持ち上げるために少なくとも１つの喫煙物品（１７）と相互に関連付けられた持ち上げ要素を更に含み、
前記持ち上げ要素（２０）は、前記喫煙物品（１７）の外側上端部分に係合可能な係合部分（２２）を有する、
ことを特徴とする容器。
【請求項２】
前記喫煙物品（１７）は、その周方向外側側面上に前記持ち上げ要素（２０）によって係合されるようになったリング状肩部（２４）を含むことを特徴とする請求項１に記載の容器。
【請求項３】
前記喫煙物品（１７）の前記肩部は、特にシガレットフィルタである該喫煙物品（１７）の周方向に包まれた先端紙（２３）の縁部（２４）によって形成されることを特徴とする請求項２に記載の容器。
【請求項４】
前記持ち上げ要素（２０）は、前記係合部分として突起（２２）を含むことを特徴とする請求項１から請求項５のいずれか１項に記載の容器。
【請求項５】
前記突起は、前記持ち上げ要素（２０）の折り目（２６）に沿って折り畳まれた該持ち上げ要素（２０）のフラップ（２２）によって形成されることを特徴とする請求項４に記載の容器。
【請求項６】
前記喫煙物品（１７）を取り囲む内側ライナ（１８）を含み、
前記内側ライナ（１８）は、取り外されるようになったプルホイル（１９）を含み、
前記持ち上げ要素（２０）は、該持ち上げ要素（２０）が前記喫煙物品（１７）と接触可能であるように前記プルホイル（１９）の内側側面に取り付けられる、
ことを特徴とする請求項１から請求項５のいずれか１項に記載の容器。
【請求項７】
前記持ち上げ要素（２０）は、該持ち上げ要素（２０）が所定の持ち上げ高さに対して持ち上げられる時に該持ち上げ要素（２０）のための停止部を提供するために前記カップ形状箱（２）と係合するようになった第２のフラップ（２９）を含むことを特徴とする請求項１から請求項６のいずれか１項に記載の容器。
【国際調査報告】
2013500212.tif 000019
2013500212.tif 000020
2013500212.tif 000021